(57)【特許請求の範囲】
【請求項１】
複数の基地局と、前記複数の基地局のうちの何れかの基地局に待ち受ける通信端末とを備えた無線通信システムであって、
前記通信端末が、
着信の有無を判定する着信有無判定手段と、
前記待ち受けている基地局より優先度の高い基地局に対して捕捉処理を行う捕捉処理手段と、を備え、
前記捕捉処理手段は、前記待ち受けている基地局より優先度の高い基地局に対して捕捉処理を行う際に、前記着信有無判定手段によって着信中でないと判定された場合に当該捕捉処理を行う
ことを特徴とする無線通信システム。
【請求項２】
前記捕捉処理手段は、前記待ち受けている基地局より優先度の高い基地局に対して捕捉処理を行う際に、前記着信有無判定手段によって前記着信中であると判定された場合、当該着信処理が終了した後に当該捕捉処理を行う
ことを特徴とする請求項１に記載の無線通信システム。
【請求項３】
基地局の優先度を記憶する捕捉優先度記憶手段と、
前記捕捉処理手段は、前記記憶された優先度に基づき、前記待ち受けている基地局より優先度の高い基地局に対して補足処理を行う
ことを特徴とする請求項１又は２に記載の無線通信システム。
【請求項４】
前記補足処理手段は、前記基地局に対する待ち受け処理が完了してから所定時間経過すると、前記待ち受けている基地局より優先度の高い基地局に対して補足処理を行う
ことを特徴とする請求項１から３のいずれか一項に記載の無線通信システム。
【請求項５】
前記補足処理手段は、前記待ち受けている基地局より優先度の高い基地局に対する補足処理に失敗した場合、前記待ち受けている基地局に対する待ち受けを再開する
ことを特徴とする請求項１から４のいずれか一項に記載の無線通信システム。
【請求項６】
複数の基地局と、前記複数の基地局のうちの何れかの基地局に待ち受ける通信端末とを備えた無線通信システムにおける無線通信方法であって、
前記通信端末における着信の有無を判定し、
前記待ち受けている基地局より優先度の高い基地局に対して捕捉処理を行う際に、前記通信端末が着信中でないと判定された場合に当該捕捉処理を行う
ことを特徴とする無線通信方法。
【請求項７】
複数の基地局と、前記複数の基地局のうちの何れかの基地局に待ち受ける通信端末とを備えた無線通信システムにおける前記通信端末であって、
着信の有無を判定する着信有無判定手段と、
前記待ち受けている基地局より優先度の高い基地局に対して捕捉処理を行なう捕捉処理手段と、を備え、
前記捕捉処理手段は、前記待ち受けている基地局より優先度の高い基地局に対して捕捉処理を行う際に、前記着信有無判定手段によって着信中でないと判定された場合に当該捕捉処理を行う
ことを特徴とする通信端末。
【請求項８】
複数の基地局と、前記複数の基地局のうちの何れかの基地局に待ち受ける通信端末とを備えた無線通信システムにおいて実行させるプログラムであって、
前記通信端末における着信の有無を判定する着信有無判定処理と、
前記通信端末が前記待ち受けている基地局より優先度の高い基地局に対して捕捉処理を行う際に、前記着信有無判定処理により前記通信端末が着信中でないと判定された場合に当該捕捉処理を行う捕捉処理と、
を実行させるプログラム。
【発明の詳細な説明】
【技術分野】
【０００１】
本発明は、基地局と通信端末とが無線通信を行なう、無線通信システムおよび無線通信方法、無線通信システムにおける端末とそのプログラムに関する。
【背景技術】
【０００２】
従来、基地局と通信端末とがＣＤＭＡのデジタル移動通信方式などの通信方式を用いて無線通信を行なう無線通信システムにおいて、基地局における通信障害や送受信データの輻輳などの発生を契機に、当該基地局が、自基地局に対して待受け状態にある通信端末へ、他の基地局への待受け先の切り替えを促す処理を行なっている。この処理をリダイレクションと呼んでおり、基地局は通信端末に対してリダイレクション情報の送信を行なうと、通信端末側ではリダイレクション情報の受信によって、他の基地局へ待受け先を切り替えるべく捕捉処理を行なう。また、リダイレクションの情報を受信した各通信端末は、リダイレクション処理を終了した後、所定の時間経過後に自端末で記憶している優先度の高い基地局を選択し、当該基地局に対する待受けを行なうべく捕捉処理を行なう。この通信端末の捕捉処理をリセレクションと呼ぶ。そしてリセレクションの処理の後、各通信端末は基地局に対して自端末のＩＤなどを用いた位置登録の要求を行なう。なお関連技術として、通信端末が受信強度に応じて、基地局を捕捉する技術が特許文献１が公開されている。
【特許文献１】特開２０００−６９５５３号公報
【発明の開示】
【発明が解決しようとする課題】
【０００３】
ところで、通信端末において上述のリセレクション処理と着信処理が同時に発生するような場合、通信端末は着信処理をキャンセルしてリセレクション処理を優先して行なう。そしてリセレクション処理と上記位置登録の処理が完了するまで、通信端末は着信処理を行なわない。従って、通信端末における着信率が低下するという問題が発生していた。
【０００４】
そこでこの発明は、通信端末の着信率の低下を防ぐことを目的とする、無線通信システムおよび無線通信方法、無線通信システムにおける通信端末とそのプログラムを提供することを目的としている。
【課題を解決するための手段】
【０００５】
上記目的を達成するために、本発明に係る無線通信システムは、複数の基地局と、前記複数の基地局のうちの何れかの基地局に待ち受ける通信端末とを備えた無線通信システムであって、前記通信端末が、着信の有無を判定する着信有無判定手段と、前記待ち受けている基地局より優先度の高い基地局に対して捕捉処理を行う捕捉処理手段と、を備え、前記捕捉処理手段は、前記待ち受けている基地局より優先度の高い基地局に対して捕捉処理を行う際に、前記着信有無判定手段によって着信中でないと判定された場合に当該捕捉処理を行うことを特徴とする。
【０００６】
また、前記捕捉処理手段は、前記待ち受けている基地局より優先度の高い基地局に対して捕捉処理を行う際に、前記着信有無判定手段によって前記着信中であると判定された場合、当該着信処理が終了した後に当該捕捉処理を行うことを特徴とする。
また、基地局の優先度を記憶する捕捉優先度記憶手段と、
前記捕捉処理手段は、前記記憶された優先度に基づき、前記待ち受けている基地局より優先度の高い基地局に対して補足処理を行うことを特徴とする。
また、前記補足処理手段は、前記基地局に対する待ち受け処理が完了してから所定時間経過すると、前記待ち受けている基地局より優先度の高い基地局に対して補足処理を行う
ことを特徴とする。
また、前記補足処理手段は、前記待ち受けている基地局より優先度の高い基地局に対する補足処理に失敗した場合、前記待ち受けている基地局に対する待ち受けを再開することを特徴とする。
【０００７】
本発明に係る無線通信方法は、複数の基地局と、前記複数の基地局のうちの何れかの基地局に待ち受ける通信端末とを備えた無線通信システムにおける無線通信方法であって、前記通信端末における着信の有無を判定し、前記待ち受けている基地局より優先度の高い基地局に対して捕捉処理を行う際に、前記通信端末が着信中でないと判定された場合に当該捕捉処理を行うことを特徴とする。
【０００８】
本発明に係る通信端末は、複数の基地局と、前記複数の基地局のうちの何れかの基地局に待ち受ける通信端末とを備えた無線通信システムにおける前記通信端末であって、着信の有無を判定する着信有無判定手段と、前記待ち受けている基地局より優先度の高い基地局に対して捕捉処理を行なう捕捉処理手段と、を備え、前記捕捉処理手段は、前記待ち受けている基地局より優先度の高い基地局に対して捕捉処理を行う際に、前記着信有無判定手段によって着信中でないと判定された場合に当該捕捉処理を行うことを特徴とする。
【０００９】
本発明に係るプログラムは、複数の基地局と、前記複数の基地局のうちの何れかの基地局に待ち受ける通信端末とを備えた無線通信システムにおいて実行させるプログラムであって、前記通信端末における着信の有無を判定する着信有無判定処理と、前記通信端末が前記待ち受けている基地局より優先度の高い基地局に対して捕捉処理を行う際に、前記着信有無判定処理により前記通信端末が着信中でないと判定された場合に当該捕捉処理を行う捕捉処理と、を実行させることを特徴とする。
【発明の効果】
【００１０】
この発明によれば、通信端末への着信有無を判定し、通信端末が待受け状態のときに所定の条件が満たされて、当該通信端末が着信中でないときに優先度に基づき選定された基地局への捕捉処理が実行されるので、着信中である場合には当該捕捉処理を行なわずに着信処理を優先する処理を行なう。したがって、着信率を向上させることができる。
【発明を実施するための最良の形態】
【００１１】
以下、本発明の一実施形態による無線通信システムを図面を参照して説明する。
図１は同実施形態による無線通信システムの全体構成を示すブロック図である。
この図において、無線基地局Ａと無線基地局Ｂは、共にＣＤＭＡのデジタル移動通信方式を用いて通信端末２との間で無線通信を行なう。これら無線基地局Ａと無線基地局Ｂは、互いに異なる周波数帯（或いは周波数）の無線信号を用いて各通信端末２と無線通信を行い、無線基地局Ａと無線基地局Ｂは互いに異なる無線通信システムを構成し、これら複数の無線通信システムにより無線通信システム全体が構成されることとなる。ここで、各無線通信システムを構成する無線基地局Ａ、Ｂは説明の便宜上１つずつ示しているが、それぞれが複数の無線基地局を有して構成されるようにしてもよく、無線基地局Ａ、Ｂによる無線通信システム以外に、さらに多くの無線通信システムが存在していても良い。また通信端末２は無線基地局ＡまたはＢを有する無線通信システムとの無線通信接続や各無線通信システムでの各基地局との無線通信接続を、電波強度や、無線基地局からの指示に応じて切り替えることにより、常に無線通信システムや無線基地局との良好な無線通信接続待受けを維持する処理を行なう。
【００１２】
そして、無線基地局から他の基地局へ無線通信の待受け先を切り替える処理のうち、無線基地局がGlobal Service Redirection Message（以下、リダイレクション情報と呼ぶ）を自基地局に対して待ちうけ状態にある通信端末２に送信することにより、リダイレクション情報を受信した通信端末２が他の無線基地局（無線通信システム）へ無線通信の接続先を切り替える捕捉処理を行い、その後、一定の時間経過後に当該リダイレクションの処理を行なった通信端末２が、他の無線基地局＜リダイレクション処理前に接続していた無線基地局（無線通信システム）、またはそれ以外の無線基地局（無線通信システム）＞に対してリセレクションの処理を行ない、その無線基地局に待受け先を切り替える。本実施形態においては、このリセレクションを行なう際に着信処理があった場合（着信中の場合）には、着信処理を優先して行なうことにより、通信端末２の着信率を向上させる処理を行なう。以下、その処理について説明する。なおリセレクションの処理はリダイレクションの処理が前提となっていなくとも良い。
【００１３】
図２は通信端末の機能ブロック図である。
通信端末２は、自端末内の各処理部を制御する制御部２１、ＣＤＭＡのデジタル移動通信方式を用いて無線基地局と無線通信を行なう無線通信部２２、文字や操作指示などの入力を受付けるキー入力部２３、音を出力する音声出力部２４、液晶画面などに入力された文字列やその他情報を表示する表示部２５、着信の有無を判定する着信有無判定部２６、リセレクション処理を行うリセレクション処理部２７、ＰＲＬ（Preferred Roaming List）などの各種情報を記憶する記憶部２８を備えている。
【００１４】
図３はＰＲＬのデータ構造を示す図である。
次に上記ＰＲＬについて説明する。
ＰＲＬは無線基地局（無線通信システム）の識別情報を保持したリストであり、予め通信端末２の記憶部２８で記憶される。そしてＰＲＬは、図３が示すように、BandClass（使用周波数帯域：以下ＢＣ）、channel（使用周波数、以下ＣＨ）、ＳＩＤ（システム識別子）、ＮＩＤ（ネットワーク識別子）、優先度など組合せの情報が複数保持されている。ここで、無線基地局ＡまたはＢには、異なる無線通信システムを構成するため、異なるＢＣ、ＣＨ、ＳＩＤ、ＮＩＤの情報が割り当てられている。そして、通信端末２は無線基地局から発信された信号（パイロット信号）を受信して、当該信号に含まれる情報と、ＰＲＬで保持された情報とを比較して、例えばＰＲＬにおいて保持されているＢＣ、ＣＨ、ＳＩＤ、ＮＩＤの情報を含む信号であり、電波強度が所定レベル以上の信号を発信している無線基地局を捕捉する。そして通信端末２は、捕捉処理が成功した無線基地局からの自端末に向けた情報の待受けを行なう。なおＰＲＬで保持されている優先度は、優先的に捕捉を行なう無線通信基地局（無線通信システム）を示すものであり、優先度「高」または「低」でＰＲＬ内で示される。この優先度は、例えば、通信端末２が優先度「高」の無線通信システムの無線基地局に対して待ちうけ状態にある状況において、何らかの事情が発生した場合に、通信端末２を使用頻度の低い優先度「低」の無線通信システムに対して待受けさせるような処理に利用される。
【００１５】
また通信端末２は無線基地局からの自端末に向けた情報の待受けを行なうにあたり、自端末の位置登録の処理を捕捉した無線基地局に対して行なう。この位置登録の処理は、無線基地局から受信した接続開始情報（Sync）の受信に応じて、自端末の識別情報（端末ＩＤなど）を無線基地局に返信し、無線基地局や図示しない管理サーバで通信端末２の識別情報を保持することを言う。
【００１６】
図４は本実施形態における通信端末の処理フローを示す図である。
次に、図４を用いて本実施形態における無線通信システムの処理フローについて説明する。
例えば、まず、無線基地局Ｂに対して待受け状態にある通信端末２が、当該無線基地局（無線通信システム）Ｂからのリダイレクション情報の受信に基づいて、無線基地局（無線通信システム）Ａに待受け先を切り替え、当該無線基地局Ａに対する待受け状態であるとする。このような待受け状態になった場合、通信端末２のリセレクション処理部２７はリダイレクション処理後の位置登録処理の次の処理としてリセレクションの開始までのタイマを作動し（ステップＳ１０１）、当該タイマで示される値までカウントする。
【００１７】
リセレクション処理部２７がタイマ値までカウントが終了（所定の条件が満足）すると（ステップＳ１０２）、次に、通信端末２の着信有無判定部２６がリセレクション処理を開始する前の処理として、着信有無の判定を行なう（ステップＳ１０３）。ここで通信端末２の制御部２１で無線基地局Ａからの着信処理が行なわれている場合、着信有無判定部２６は着信有りを判定し、リセレクション処理部２７にその旨通知する。リセレクション処理部２７は着信有りであるという通知を受けた場合には、その後のリセレクション処理を中止する（ステップＳ１０４）。また、通信端末２の制御部２１で無線基地局Ａからの着信処理が行なわれていない場合、着信有無判定部２６は着信無しを判定し、リセレクション処理部２７にその旨通知する。リセレクション処理部２７は着信無しであるという通知を受けた場合には、その後のリセレクション処理を開始する（ステップＳ１０５）。
【００１８】
次に、リセレクション処理について説明する。
リセレクション処理部２７はリセレクション処理を開始すると、まず、無線基地局に対する捕捉処理を行う。この捕捉処理においては、記憶部２８に記憶されているＰＲＬを読み出し、このＰＲＬにおいて優先度「高」に対応付けられている無線基地局（無線通信システム）の識別情報を特定し、この特定した識別情報における使用周波数帯域ＢＣや使用周波数ＣＨ等の情報を入手し、この使用周波数帯域ＢＣや使用周波数ＣＨに基づき無線基地局から送信されるパイロット信号をサーチする。そして、サーチ（受信）したパイロット信号の受信強度が所定レベル以上である場合にはサーチが成功したと判定し、このサーチに成功したパイロット信号に自端末の短周期ＰＮ符号を同期させることにより、当該無線基地局に対する捕捉を行なう（ステップＳ１０６）。本実施形態においては、無線基地局（無線通信システム）Ｂを捕捉するものとする。
【００１９】
この同期が行なわれた後、この無線基地局Ｂから送信される信号のＳｙｎｃ Ｃｈａｎｎｅｌ上でのＳＣＨＭを受信し、このＳＣＨＭに含まれる無線基地局（無線通信システム）Ｂの識別情報（ＳＩＤ、ＮＩＤ）を読み取り、この識別情報（ＳＩＤ、ＮＩＤ）に対するＰＲＬ上での無線基地局（無線通信システム） の捕捉優先度を確認する。このＳＣＨＭを受信した無線基地局（無線通信システム）ＢがＰＲＬ上で最も優先度が高いものとして保存されている場合には、この無線基地局（無線通信システム）に対しての待受けを開始する。そして、リセレクション処理部２７は、無線基地局Ｂに対して位置登録の処理を行なう（ステップＳ１０７）。なお、捕捉した無線基地局（無線通信システム）の優先度がＰＲＬ上で最も高く設定されているものでなかった場合、次点の優先度が設定されている無線基地局（無線通信システム）について、同様の処理を行い、捕捉処理及び待受け処理を行う。また、高い優先度が設定されている無線基地局（無線通信システム）を捕捉できなかった場合には、現在待受けを行なっている無線基地局（無線通信システム）での待受けを再開する。
【００２０】
以上の処理により、通信端末はリセレクションの開始を行なう前に着信有無を判定し、着信がある場合には着信処理を優先する処理を行なう。したがって、着信率を向上させることができる。なお、上述のステップＳ１０４においてリセレクションの処理を終了した場合には、リセレクション処理部２７は着信処理の終了まで待機し、着信処理が終了すると、上記リセレクションの処理を開始するようにしてもよい。
【００２１】
なお、上述の通信端末や無線基地局は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２２】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２３】
また、上述した実施形態では、通信端末自身がリセレクション処理（捕捉処理）の実施開始の判断、着信の有無の判断、リセレクション処理の実施可否の判断、リセレクション処理の実施などを行い、これらの処理を実施する処理手段が、通信端末内に設けられる構成としたが、これに限定されることなく、これら処理を実施する処理手段が、例えば無線基地局や管理サーバのように通信システム内に配設されて構成されていてもよい。
【００２４】
また上述した実施形態では、リセレクション処理を行なう条件として、リダイレクション処理後の位置登録からの経過時間が所定時間となったことを条件としていたが、これに限定されること無く、その他の所定の条件が満たされたときにリセレクション処理を行うように構成してもよい。
【００２５】
また、上述した実施形態では、所定の条件に伴いリセレクション処理が開始されるときに着信の有無を判定する構成としたが、これに限定されること無く、当該所定条件の判定の前に着信の有無を判定し、着信があった場合（着信中の場合）にはリセレクション処理を規制（中止又は保留）するとともに、着信がない場合に所定の条件が満足しているか否かを判定するようにしてもよい。なお、上述した実施形態のように所定の条件が満たされた場合に着信の有無を判定する構成とすることにより、着信の有無の判定頻度を低減して制御負荷を軽減することができる。
【図面の簡単な説明】
【００２６】
【図１】無線通信システムの構成を示すブロック図である。
【図２】通信端末の機能ブロック図である。
【図３】ＰＲＬのデータ構造を示す図である。
【図４】リセレクション処理部の処理フローを示す図である。
【符号の説明】
【００２７】
Ａ，Ｂ  無線基地局
２  通信端末
２１  制御部
２２  無線通信部
２３  キー入力部
２４  音声出力部
２５  表示部
２６  着信有無判定部
２７  リセレクション処理部
２８  記憶部
【図１】
0004727397.tif 000002
【図２】
0004727397.tif 000003
【図３】
0004727397.tif 000004
【図４】
0004727397.tif 000005